(57)【要約】【課題】各部位での明るさの変化に富み、高級な外観を呈する時計用部材、時計用文字板、時計を提供すること。【解決手段】本発明の時計用文字板１は、光透過性を有する材料で構成された基板２１（時計用部材２）と、着色剤を含む材料で構成された着色膜３とを備えている。基板２１の一方の面としての第１の面２１１は、他方の面としての第２の面２１２側に向かって湾曲した湾曲部を有するものであり、当該湾曲部には、微小な凹凸２１１１が設けられている。凹凸２１１１の高低差は、４〜２５μｍであるのが好ましい。また、凹凸２１１１は、規則的に配されたものであり、その平均ピッチが１０〜２８μｍであるのが好ましい。【選択図】図１
2010210344.tif 000002
【特許請求の範囲】
【請求項１】
光透過性を有する材料で構成された基板を備えた時計用部材であって、
前記基板は、一方の面としての第１の面に形成され、他方の面としての第２の面側に向かって湾曲した湾曲部を有するものであり、
前記湾曲部には、微小な凹凸が設けられていることを特徴とする時計用部材。
【請求項２】
前記凹凸は、溝または凸条である請求項１に記載の時計用部材。
【請求項３】
前記第２の面は、略平面である請求項１または２に記載の時計用部材。
【請求項４】
前記第２の面は、前記第１の面とは反対側に向かって湾曲したものである請求項１または２に記載の時計用部材。
【請求項５】
前記第１の面における湾曲の曲率と、前記第２の面における湾曲の曲率とが異なるものである請求項４に記載の時計用部材。
【請求項６】
前記凹凸の高低差は、４〜２５μｍである請求項１ないし５のいずれかに記載の時計用部材。
【請求項７】
前記凹凸は、規則的に配されたものであり、その平均ピッチが１０〜２８μｍである請求項１ないし６のいずれかに記載の時計用部材。
【請求項８】
請求項１ないし７のいずれかに記載の時計用部材を備えたことを特徴とする時計用文字板。
【請求項９】
時計用文字板は、前記基板の前記第２の面側に、着色剤を含む材料で構成された着色膜を有するものである請求項８に記載の時計用文字板。
【請求項１０】
請求項１ないし７のいずれかに記載の時計用部材を備えたことを特徴とする時計。
【請求項１１】
請求項１ないし７のいずれかに記載の時計用部材と、
前記第１の面側に配された太陽電池とを備えることを特徴とする時計。
【請求項１２】
請求項８または９に記載の時計用文字板を備えたことを特徴とする時計。
【請求項１３】
請求項８または９に記載の時計用文字板と、
前記第１の面側に配された太陽電池とを備えることを特徴とする時計。
【発明の詳細な説明】
【技術分野】
【０００１】
本発明は、時計用部材、時計用文字板および時計に関する。
【背景技術】
【０００２】
時計用文字板には、実用品としての優れた視認性とともに、装飾品としての優れた美的外観が要求される。従来、このような目的を達成するために、一般に、時計用文字板の構成材料として、Ａｕ、Ａｇや合金等の金属材料を用いてきた（例えば、特許文献１参照）。
しかしながら、金属材料を用いた場合には、表現できる色調に限界があり、また、単調な外観になりやすいという問題があった。また、基板上に金属膜（基板とは異なる材料で構成された金属膜）を形成した後、当該金属膜の一部をエッチングにより選択的に除去したり、マスクを用いた成膜により、基板上に基板とは異なる色調の金属膜を形成したりすることにより、時計用文字板の外観にバリエーションを持たせることも検討されているが、このような方法を用いた場合であっても、時計用文字板の各部位の外観を傾斜的に変化させることは困難である。また、各種印刷法を用いることも考えられるがこのような場合、得られる時計用文字板は、高級感に欠けるという問題点があった。
【先行技術文献】
【特許文献】
【０００３】
【特許文献１】特開２００６−２４９５１０号公報
【発明の概要】
【発明が解決しようとする課題】
【０００４】
本発明の目的は、各部位での明るさの変化に富み、高級な外観を呈する時計用部材、時計用文字板、時計を提供することにある。
【課題を解決するための手段】
【０００５】
このような目的は下記の本発明により達成される。
本発明の時計用部材は、光透過性を有する材料で構成された基板を備えた時計用部材であって、
前記基板は、一方の面としての第１の面に形成され、他方の面としての第２の面側に向かって湾曲した湾曲部を有するものであり、
前記湾曲部には、微小な凹凸が設けられていることを特徴とする。
これにより、各部位での明るさの変化に富み、高級な外観を呈する時計用部材を提供することができる。
【０００６】
本発明の時計用部材では、前記凹凸は、溝または凸条であることが好ましい。
これにより、時計用部材の美的外観、時計用部材が適用される時計の美的外観を特に優れたものとすることができる。
本発明の時計用部材では、前記第２の面は、略平面であることが好ましい。
これにより、時計用部材の美的外観、時計用部材が適用される時計の外観をより高級感に溢れるものとすることができる。
【０００７】
本発明の時計用部材では、前記第２の面は、前記第１の面とは反対側に向かって湾曲したものであることが好ましい。
これにより、観察方向による各部位での明るさの変化をより大きなものとすることができ、従来の時計とは大きく異なる外観を得ることができる。
本発明の時計用部材では、前記第１の面における湾曲の曲率と、前記第２の面における湾曲の曲率とが異なるものであることが好ましい。
これにより、各部位での明るさの変化をより大きなものとするとともに、観察方向による各部位での明るさの変化をさらに大きなものとすることができる。
【０００８】
本発明の時計用部材では、前記凹凸の高低差は、４〜２５μｍであることが好ましい。
これにより、時計用部材の耐久性を十分に優れたものとしつつ、時計用部材の美的外観、時計用部材が適用される時計の美的外観を特に優れたものとすることができる。
本発明の時計用部材では、前記凹凸は、規則的に配されたものであり、その平均ピッチが１０〜２８μｍであることが好ましい。
これにより、時計用部材の美的外観、時計用部材が適用される時計の美的外観を特に優れたものとすることができる。
【０００９】
本発明の時計用文字板では、本発明の時計用部材を備えたことを特徴とする。
これにより、各部位での明るさの変化に富み、高級な外観を呈する時計用文字板を提供することができる。
本発明の時計用文字板は、前記基板の前記第２の面側に、着色剤を含む材料で構成された着色膜を有するものであることが好ましい。
これにより、時計用部材の美的外観を特に優れたものとすることができる。特に、高級感のある明るさの変化に富む光沢感を有し、かつ、従来の金属材料等では表現することができなかった色調の外観を得ることができる。
【００１０】
本発明の時計は、本発明の時計用部材を備えたことを特徴とする。
これにより、各部位での明るさの変化に富み、高級な外観を呈する時計を提供することができる。
本発明の時計は、本発明の時計用部材と、
前記第１の面側に配された太陽電池とを備えることを特徴とする。
太陽電池は、一般に黒色等の暗色を呈するものであるため、太陽電池を備えた時計（ソーラー時計）においては、従来、太陽電池が時計全体としての外観に大きな影響を与え、時計全体としての美的外観を優れたものとするのが困難であった。これに対し、本発明では、時計用部材の第１の面側に、暗色の部材である太陽電池が配されていると、時計の外観において、十分な光沢感を発揮させつつ、各部位での明るさの変化をより顕著なものとすることができ、時計全体としての審美性を特に優れたものとすることができる。すなわち、時計用部材の第１の面側に太陽電池が配されていることにより、本発明の効果をより顕著に発揮させることができる。
【００１１】
本発明の時計は、本発明の時計用文字板を備えたことを特徴とする。
これにより、各部位での明るさの変化に富み、高級な外観を呈する時計を提供することができる。
本発明の時計は、本発明の時計用文字板と、
前記第１の面側に配された太陽電池とを備えることを特徴とする。
太陽電池は、一般に黒色等の暗色を呈するものであるため、太陽電池を備えた時計（ソーラー時計）においては、従来、太陽電池が時計全体としての外観に大きな影響を与え、時計全体としての美的外観を優れたものとするのが困難であった。これに対し、本発明では、時計用部材の第１の面側に、暗色の部材である太陽電池が配されていると、時計の外観において、十分な光沢感を発揮させつつ、各部位での明るさの変化をより顕著なものとすることができ、時計全体としての審美性を特に優れたものとすることができる。すなわち、時計用部材の第１の面側に太陽電池が配されていることにより、本発明の効果をより顕著に発揮させることができる。
【発明の効果】
【００１２】
本発明によれば、各部位での明るさの変化に富み、高級な外観を呈する時計用部材、時計用文字板、時計を提供することができる。
【図面の簡単な説明】
【００１３】
【図１】本発明の時計用部材を備えた本発明の時計用文字板の好適な実施形態を示す断面図である。
【図２】基板が有する凹凸の配置パターンの例を模式的に示す平面図である。
【図３】基板が有する凹凸の配置パターンの例を模式的に示す平面図である。
【図４】基板が有する凹凸の配置パターンの例を模式的に示す平面図である。
【図５】基板が有する凹凸の配置パターンの例を模式的に示す平面図である。
【図６】基板が有する凹凸の配置パターンの例を模式的に示す平面図である。
【図７】本発明の時計（携帯時計）の好適な実施形態を示す部分断面図である。
【図８】本発明の時計用部材を備えた本発明の時計用文字板の他の好適な実施形態を示す断面図である。
【図９】本発明の時計用部材を備えた本発明の時計用文字板の他の好適な実施形態を示す断面図である。
【発明を実施するための形態】
【００１４】
以下、本発明の好適な実施形態について、添付図面を参照しつつ説明する。
＜時計用文字板＞
まず、本発明の時計用文字板の好適な実施形態について説明する。
図１は、本発明の時計用部材を備えた本発明の時計用文字板の好適な実施形態を示す断面図、図２〜図６は、基板が有する凹凸の配置パターンの例を模式的に示す平面図である。なお、本明細書で参照する図面は、構成の一部を強調して示したものであり、実際の寸法等を正確に反映したものではない。以下、図１（後述する図７、図８、図９も同様）中、上側が、観察者側であるものとして説明する。
図１に示すように、時計用文字板１は、時計用部材２と、着色膜３とを有している。
【００１５】
［時計用部材］
時計用文字板１を構成する時計用部材２は、光透過性を有する材料で構成された基板２１を備えたものである。
基板２１は、光透過性を有する材料で構成されたものである。本発明において、「光透過性を有する」とは、可視光領域（３８０〜７８０ｎｍの波長領域）の光の少なくとも一部を透過する性質を有することを指し、好ましくは可視光領域の光の透過率が５０％以上であり、より好ましくは可視光領域の光の透過率が６０％以上である。このような光の透過率は、例えば、光源として、白色蛍光灯（東芝社製、検査用蛍光灯  ＦＬ２０Ｓ−Ｄ６５）を用い、１０００ルクス下で、測定対象の基板（または時計用文字板等の対応する部材）と同一形状のソーラーセル（太陽電池）で発電した際の電流値（Ｘ）に対する、当該ソーラーセルの光源側の面に測定対象である基板（または時計用文字板等の対応する部材）を載せた以外は、前記と同一の状態で発電した際の電流値（Ｙ）の比率（（Ｙ／Ｘ）×１００［％］）を、採用することができる。以下、本明細書中において、特に断りのない限り、「光の透過率」とは、このような条件で求められる値のことを指す。
【００１６】
基板２１を構成する材料としては、例えば、各種プラスチック材料、各種ガラス材料等が挙げられるが、基板２１は、主としてプラスチック材料で構成されたものであるのが好ましい。プラスチック材料は、一般に、成形性（成形の自由度）に優れており、種々の形状の時計用文字板１の製造に好適に適用することができる。また、基板２１がプラスチック材料で構成されたものであると、時計用文字板１の製造コスト低減に有利である。また、プラスチック材料は、一般に、電波の透過性にも優れているため、基板２１がプラスチック材料で構成されたものであると、時計用文字板１を電波時計に好適に適用することができる。以下の説明では、基板２１が主としてプラスチック材料で構成された例を、中心に説明する。なお、本発明では、「主として」とは、対象としている部位（部材）を構成する材料のうち最も含有量の多い成分を指し、その含有量は特に限定されないが、対象としている部位（部材）を構成する材料の６０ｗｔ％以上であることが好ましく、８０ｗｔ％以上であることがより好ましく、９０ｗｔ％以上であることがさらに好ましい。
【００１７】
基板２１を構成するプラスチック材料としては、各種熱可塑性樹脂、各種熱硬化性樹脂等が挙げられ、例えば、ポリカーボネート（ＰＣ）、アクリロニトリル−ブタジエンースチレン共重合体（ＡＢＳ樹脂）、ポリメチルメタクリレート（ＰＭＭＡ）等のアクリル系樹脂、ポリエチレン（ＰＥ）、ポリプロピレン（ＰＰ）等のポリオレフィン系樹脂、ポリエチレンテレフタレート（ＰＥＴ）等のポリエステル系樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。特に、基板２１は、主として、ポリカーボネートおよび／またはアクリロニトリル−ブタジエン−スチレン共重合体で構成されたものであるのが好ましい。これにより、時計用文字板１全体としての強度を特に優れたものとすることができる。また、基板２１の成形の自由度が増す（成形のし易さが向上する）ため、より複雑な形状の時計用文字板１であっても、容易かつ確実に製造することができる。また、ポリカーボネートは、各種プラスチック材料の中でも比較的安価で、時計用文字板１の生産コストのさらなる低減に寄与することができる。また、ＡＢＳ樹脂は、特に優れた耐薬品性も有しており、時計用文字板１全体としての耐久性をさらに向上されることができる。
【００１８】
また、上記のようなプラスチック材料は、いずれも、電波の透過性に特に優れているため、このような材料で構成された基板２１を備える時計用文字板１は、電波時計により好適に適用することができる。
なお、基板２１は、プラスチック材料以外の成分を含むものであってもよい。このような成分としては、例えば、可塑剤、酸化防止剤、着色剤（各種発色剤、蛍光物質、りん光物質等を含む）、光沢剤、フィラー等が挙げられる。
【００１９】
基板２１は、各部位でその組成が実質的に均一な組成を有するものであってもよいし、部位によって組成の異なるものであってもよい。
基板２１の一方の面（主面）としての第１の面２１１は、他方の面（主面）としての第２の面２１２側に向かって湾曲した湾曲部（湾曲面）となっている。湾曲部は、第１の面の少なくとも一部に設けられたものであればいよいが、図示の構成では、第１の面全体が湾曲部（湾曲面）となっている。そして、湾曲面としての第１の面２１１には、微小な凹凸２１１１が設けられている。このように、湾曲面としての第１の面２１１に微小な凹凸２１１１を有することにより、時計用文字板１は、各部位での明るさの変化に富み、高級な外観を呈するものとなる。
【００２０】
本実施形態において、凹凸２１１１は、溝または凸条である。これにより、時計用文字板１の美的外観を特に優れたものとすることができる。
凹凸２１１１は、いかなる配置のものであってもよいが、時計用文字板１（時計用部材２）を平面視した際に、規則的に配置されたものであるのが好ましい。これにより、時計用文字板１の各部位における、不本意な色むら等が発生するのを効果的に防止することができ、時計用文字板１の美的外観を特に優れたものとすることができる。凹凸２１１１の配置パターン（平面視多彩の配置パターン）としては、例えば、多数の凹凸２１１１が渦巻状に配置されたパターン（図２参照）、凹凸２１１１が同心円状に配置されたパターン（図３参照）、一次元方向に多数の凹凸２１１１が配置されたパターン（図４参照）、二次元方向に多数の凹凸２１１１が配置されたパターン（図５、図６参照）等が挙げられる。
【００２１】
凹凸２１１１のピッチ（凹凸２１１１の長手方向に垂直な方向についてのピッチ）Ｐは、特に限定されないが、１０〜２８μｍであるのが好ましく、２０〜２６μｍであるのがより好ましい。凹凸２１１１のピッチＰが前記範囲内の値であると、時計用文字板１の美的外観を特に優れたものとすることができる。なお、本明細書中において、「ピッチ」とは、基板２１を平面視した際のピッチのことを指す。
【００２２】
また、凹凸２１１１の高低差（凸部（凸条）の頂部と凹部（溝）の底部との高低差）Ｈは、特に限定されないが、４〜２５μｍであるのが好ましく、８〜１３．５μｍであるのがより好ましい。凹凸２１１１の高低差Ｈが前記範囲内の値であると、時計用文字板１の耐久性を十分に優れたものとしつつ、時計用文字板１の美的外観を特に優れたものとすることができる。また、凹凸２１１１の高低差Ｈが前記範囲内の値であると、時計用文字板１全体としての光の透過率を特に高いものとすることができるため、時計用文字板１をより好適にソーラー時計（太陽電池を備えた時計）に適用することができる。
また、図示の構成では、凹凸２１１１の断面形状（凹凸２１１１の長手方向に対して垂直な断面での形状）は、二等辺三角形状をなすものである。凹凸２１１１の断面形状がこのようなものであると、時計用文字板１の美的外観をさらに優れたものとすることができる。
【００２３】
凹凸２１１１の頂点の角度（図中のθ）は、特に限定されないが、８０〜１１０°であるのが好ましい。これにより、時計用文字板１の美的外観をさらに優れたものとすることができる。
本実施形態では、第１の面２１１とは反対側の面（主面）である第２の面２１２は、略平面（非湾曲面）である。これにより、時計用文字板１の美的外観の外観をより高級感に溢れるものとすることができる。
【００２４】
基板２１の最大厚さ（凹凸２１１１がある部位においては、その厚さが極大となる部位での厚さについての最大値）は、特に限定されないが、２００〜７００μｍであるのが好ましく、４００〜６００μｍであるのがより好ましい。基板２１の最大厚さが前記範囲内の値であると、時計用文字板１が適用される時計が厚型化するのを効果的に防止しつつ、時計用文字板１の美的外観を特に優れたものとし、さらに、機械的強度、形状の安定性等を十分に優れたものとすることができる。なお、本実施形態では、基板２１の周縁部付近の厚さが、基板２１の最大厚さとなっている。
【００２５】
また、基板２１の最小厚さ（凹凸２１１１がある部位においては、その厚さが極大となる部位での厚さについての最小値）は、特に限定されないが、１００〜４００μｍであるのが好ましく、１５０〜３００μｍであるのがより好ましい。基板２１の最小厚さが前記範囲内の値であると、時計用文字板１の美的外観を特に優れたものとし、さらに、機械的強度、形状の安定性等を十分に優れたものとすることができる。なお、本実施形態では、基板２１を平面視した際の中心部付近での厚さが、基板２１の最大厚さとなっている。
【００２６】
［着色膜］
基板２１（時計用部材２）第２の面２１２側（観察者側の面とは反対側の面側）には、着色剤を含む材料で構成された着色膜３が設けられている。このような着色膜３を備えることにより、時計用文字板１の美的外観を特に優れたものとすることができる。特に、高級感のある明るさの変化に富む光沢感を有し、かつ、従来の金属材料等では表現することができなかった色調の外観を得ることができる。
【００２７】
また、着色膜３は、含有する着色剤に対応する色の光を反射する機能を有するとともに、光透過性を有している。これにより、前述した時計用部材２（湾曲面としての第１の面２１１に設けられた凹凸２１１１）の効果を確実に発揮させることができる。
また、着色膜３を構成する着色剤は、一般に、電波の透過性に優れているため、このような材料で構成された着色膜３を備える時計用文字板１は、電波時計に好適に適用することができる。
【００２８】
着色膜３の色調は、特に限定されないが、白色、クリーム色、水色、ピンク色であるのが好ましい。これにより、従来表現することが困難であった色調で、優れた美的外観を有する時計用文字板１が得られる。すなわち、着色膜３の色調が前記のようなものであると、着色膜、および、上述した時計用部材を備えることにより得られる効果がより顕著に発揮される。
着色膜３を構成する着色剤としては、例えば、顔料や染料が挙げられる。
【００２９】
特に、着色膜３が、着色剤として顔料を含むものであると、時計用文字板１の耐久性を優れたものとすることができ、長期間にわたって使用した場合における色調の変化を抑制することができる。また、顔料を用いた場合、従来においては、時計用文字板に高級な光沢感のある外観を得るのが極めて困難であったが、本発明においては、顔料の利点を発揮させつつ、時計用文字板の外観を高級な光沢感のあるものとすることができる。すなわち、時計用文字板が顔料を含む材料で構成された着色膜（顔料着色膜）を備えるものである場合に、本発明の効果はより顕著に発揮される。
【００３０】
着色膜３は、着色剤として、各種発色剤、蛍光物質、りん光物質等を含むものであってもよい。また、着色膜３は、着色剤以外の成分を含むものであってもよい。このような成分としては、例えば、各種樹脂成分、可塑剤、酸化防止剤、光沢剤、フィラー等が挙げられる。特に、着色膜３が樹脂成分を含む材料で構成されたものであると、着色膜３の基板２１に対する密着性、時計用文字板１の耐久性を特に優れたものとすることができる。
着色膜３の平均厚さは、特に限定されないが、１〜５０μｍであるのが好ましく、２〜４０μｍであるのがより好ましく、３〜３０μｍであるのがさらに好ましい。これにより、時計用文字板１の美的外観を特に優れたものとすることができる。
【００３１】
また、着色膜３中における着色剤の含有率は、特に限定されないが、０．５〜１０．０ｗｔ％であるのが好ましく、１．０〜８．０ｗｔ％であるのがより好ましい。これにより、時計用文字板１の美的外観を特に優れたものとすることができるとともに、着色膜３の基板２１（時計用部材２）に対する密着性、時計用文字板１の耐久性を特に優れたものとする。
着色膜３は、その全体にわたって均一な組成を有するものであってもよいし、各部位で組成の異なるものであってもよい。例えば、着色膜３は、厚さ方向に異なる組成を有する複数の層を備えた積層体で構成されたものであってもよいし、厚さ方向に組成が傾斜的に変化する傾斜材料で構成されたものであってもよい。
【００３２】
＜時計＞
次に、上述したような本発明の時計用部材、時計用文字板を備えた本発明の時計について説明する。
本発明の時計は、上述したような本発明の時計用部材、時計用文字板を有するものである。上述したように、本発明の時計用部材、時計用文字板は、光透過性および装飾性（美的外観）に優れたものである。このため、このような時計用文字板を備えた本発明の時計は、ソーラー時計としての求められる要件を十分に満足することができる。また、太陽電池は、一般に黒色等の暗色を呈するものであるため、ソーラー時計においては、従来、太陽電池が時計全体としての外観に大きな影響を与え、時計全体としての美的外観を優れたものとするのが困難であった。これに対し、本発明では、時計用部材の第１の面側に、暗色の部材である太陽電池が配されていると、時計の外観において、十分な光沢感を発揮させつつ、各部位での明るさの変化をより顕著なものとすることができ、時計全体としての審美性を特に優れたものとすることができる。すなわち、時計用部材の第１の面側に太陽電池が配されていること（本発明の時計用部材、時計用文字板がソーラー時計に適用されること）により、本発明の効果をより顕著に発揮させることができる。なお、本発明の時計を構成する時計用部材、時計用文字板（本発明の時計用部材、時計用文字板）以外の部品としては、公知のものを用いることができるが、以下に、本発明の時計の構成の一例について説明する。
【００３３】
図７は、本発明の時計（腕時計）の好適な実施形態を示す部分断面図である。
図７に示すように、本実施形態の腕時計（携帯時計）１００は、胴（ケース）８２と、裏蓋８３と、ベゼル（縁）８４と、ガラス板（カバーガラス）８５とを備えている。また、ケース８２内には、前述したような本発明の時計用文字板１と、太陽電池９４と、ムーブメント８１とが収納されており、さらに、図示しない針（指針）等が収納されている。時計用文字板１（時計用部材２）は、太陽電池９４と、ガラス板（カバーガラス）８５との間に設けられており、時計用部材２の着色膜３が設けられた側の面（第２の面２１２）が、ガラス板（カバーガラス）８５側を向くように配置されている。上述したように、本発明の時計用文字板１（時計用部材２）は、光透過性に優れるとともに、美的外観に優れ、背面側の様子が観察者に認識されるのを防止する効果に優れている。このため、腕時計１００において、時計用文字板１の背面に配された太陽電池９４が観察者（使用者等）に認識され、それにより腕時計１００全体としての外観に悪影響を及ぼすことが防止されている。
ガラス板８５は、通常、透明性の高い透明ガラスやサファイア等で構成されている。これにより、本発明の時計用文字板１の審美性を十分に発揮させることができるとともに、太陽電池９４に十分な光量の光を入射させることができる。
ムーブメント８１は、太陽電池９４の起電力を利用して、指針を駆動する。
【００３４】
図７中では省略しているが、ムーブメント８１内には、例えば、太陽電池９４の起電力を貯蔵する電気二重層コンデンサー、リチウムイオン二次電池や、時間基準源として水晶振動子や、水晶振動子の発振周波数をもとに時計を駆動する駆動パルスを発生する半導体集積回路や、この駆動パルスを受けて１秒毎に指針を駆動するステップモーターや、ステップモーターの動きを指針に伝達する輪列機構等を備えている。
また、ムーブメント８１は、図示しない電波受信用のアンテナを備えている。そして、受信した電波を用いて時刻調整等を行う機能を有している。
【００３５】
太陽電池９４は、通常、黒色等の暗色を呈するものであり、光エネルギーを電気エネルギーに変換する機能を有する。そして、太陽電池９４で変換された電気エネルギーは、ムーブメントの駆動等に利用される。
太陽電池９４は、例えば、非単結晶シリコン薄膜にｐ型の不純物とｎ型の不純物とが選択的に導入され、さらにｐ型の非単結晶シリコン薄膜とｎ型の非単結晶シリコン薄膜との間に不純物濃度の低いｉ型の非単結晶シリコン薄膜を備えたｐｉｎ構造を有している。
【００３６】
胴８２には巻真パイプ８６が嵌入・固定され、この巻真パイプ８６内にはりゅうず８７の軸部８７１が回転可能に挿入されている。
胴８２とベゼル８４とは、プラスチックパッキン８８により固定され、ベゼル８４とガラス板８５とはプラスチックパッキン８９により固定されている。
また、胴８２に対し裏蓋８３が嵌合（または螺合）されており、これらの接合部（シール部）９３には、リング状のゴムパッキン（裏蓋パッキン）９２が圧縮状態で介挿されている。この構成によりシール部９３が液密に封止され、防水機能が得られる。
【００３７】
りゅうず８７の軸部８７１の途中の外周には溝８７２が形成され、この溝８７２内にはリング状のゴムパッキン（りゅうずパッキン）９１が嵌合されている。ゴムパッキン９１は巻真パイプ８６の内周面に密着し、該内周面と溝８７２の内面との間で圧縮される。この構成により、りゅうず８７と巻真パイプ８６との間が液密に封止され防水機能が得られる。なお、りゅうず８７を回転操作したとき、ゴムパッキン９１は軸部８７１と共に回転し、巻真パイプ８６の内周面に密着しながら周方向に摺動する。
【００３８】
上記のような携帯時計（腕時計）は、各種時計の中でも特に優れた耐久性（例えば、耐衝撃性等）が求められるものであるため、優れた美的外観とともに、優れた耐久性が得られる本発明を、より好適に適用することができる。
なお、上記の説明では、時計の一例として、ソーラー電波時計としての腕時計（携帯時計）を挙げて説明したが、本発明は、腕時計以外の携帯時計、置時計、掛け時計等の他の種類の時計にも同様に適用することができる。また、本発明は、ソーラー電波時計を除くソーラー時計や、ソーラー電波時計を除く電波時計等、いかなる時計にも適用することができる。
【００３９】
以上、本発明の好適な実施形態について説明したが、本発明は上記のようなものに限定されるものではない。
例えば、本発明の時計用部材、時計用文字板、時計では、各部の構成は、同様の機能を発揮する任意の構成のものに置換することができ、また、任意の構成を付加することもできる。例えば、各種印刷法により形成された印刷部を有するものであってもよい。また、時計用文字板の表面には、少なくとも１つの層が設けられていてもよい。このような層は、例えば、時計用文字板の使用時等において除去されるものであってもよい。
【００４０】
また、前述した実施形態では、時計用部材は、基板の第１の面の全体に、凹凸が設けられたものとして説明したが、凹凸は、基板の第１の面の一部にのみ設けられたものであってもよい。
また、前述した実施形態では、時計用文字板を平面視した際に、着色膜と時計用部材とが完全に重なり合うように配置されている構成について説明したが、着色膜と時計用部材とは、このように配置されたものでなくてもよい。例えば、着色膜は、時計用文字板を平面視した際に、時計用部材の一部にのみ重なり合うようなものであってもよい。
【００４１】
また、本発明の時計用文字板は、上記のような着色膜を有していないものであってもよい。例えば、本発明の時計用文字板は、本発明の時計用部材のみからなるものであってもよい。
また、本発明の時計用文字板は、上述した着色膜以外の装飾膜、例えば、金属薄膜を備えたものであってもよい。
【００４２】
また、本発明の時計用部材は、時計用文字板を構成する部材でなくてもよい。
また、本発明の時計用部材（時計用文字板）は、図８に示すように、第２の面２１２が、第１の面２１１とは反対側に向かって湾曲した湾曲部を有するものであってもよいし、図９に示すように、第２の面２１２が、第１の面２１１側に向かって湾曲した湾曲部を有するものであってもよい。特に、図８に示すように、第２の面２１２が、第１の面２１１とは反対側に向かって湾曲した湾曲部を有するものであると、時計用文字板１（時計用部材２）において、観察方向による各部位での明るさの変化をより大きなものとすることができ、従来の時計とは大きく異なる外観を得ることができる。また、図８に示すように、第２の面２１２が、第１の面２１１とは反対側に向かって湾曲した湾曲部を有するものである場合、第１の面２１１における湾曲の曲率と、第２の面２１２における湾曲の曲率とが異なるものであるのがこのましい。これにより、各部位での明るさの変化をより大きなものとするとともに、観察方向による各部位での明るさの変化をさらに大きなものとすることができる。
【実施例】
【００４３】
次に、本発明の具体的実施例について説明する。
１．時計用文字板の製造
以下に示すような方法で、各実施例および比較例について、１００個ずつの時計用文字板（腕時計用文字板）を製造した。
（実施例１）
まず、射出成形により、一方の面である第１の面全体が、他方の面である第２の面側に向かって湾曲した湾曲部（湾曲面）であり、第２の面が略平面（非湾曲面）である、ポリカーボネート製の直径：２７ｍｍの円盤状の基板（時計用部材）を作製した。得られた基板（時計用部材）は、第１の面（湾曲面）に、図２に示すような渦巻状の凹凸（溝）が設けられたものであった。凹凸のピッチは２５μｍ、凹凸の高低差は１２．５μｍであった。また、凹凸の断面形状は二等辺三角形状をなすものであり、その頂点の角度（図１中のθ）は、９０°であった。また、得られた基板（時計用部材）は、平面視した際の中心部付近で厚さが最小であり、周縁部付近で厚さが最大であった。基板（時計用部材）の最小厚さは３００μｍ、最大厚さは５００μｍであった。
【００４４】
次に、基板（時計用部材）の第２の面上に、刷毛塗りにより塗料を付与し、その後溶剤を除去することにより着色膜を形成し、図１に示すような時計用文字板を得た。塗料としては、顔料としてのＣ．Ｉ．ピグメントホワイト１１およびＣ．Ｉ．ピグメントレッド２５４と、樹脂成分としてのポリウレタン系樹脂と、溶剤（顔料を分散する分散媒、ポリウレタン系樹脂を溶解する溶媒）としてのシクロヘキサンとを含むものを用いた。形成された着色膜の平均厚さは、１０μｍであった。また、着色膜中における顔料の含有率は、１．５ｗｔ％であった。
なお、基板の厚さ等は、ＪＩＳ  Ｈ  ５８２１で規定される顕微鏡断面試験方法に従い測定した。
（実施例２〜８）
基板（時計用部材）の作製に用いる型の種類、基板の構成材料、着色膜の形成に用いる塗料の組成を適宜変更することにより、時計用文字板の構成が表１に示すようになるようにした以外は、前記実施例１と同様にして時計用文字板を製造した。
【００４５】
（比較例１）
基板（時計用部材）の作製に用いる型の種類を変更することにより、基板の第１の面を、微小な凹凸のない湾曲面とした以外は、前記実施例１と同様にして時計用文字板を製造した。
（比較例２）
基板（時計用部材）の作製に用いる型の種類を変更することにより、基板の第１の面を、微小な凹凸を有する非湾曲面とした以外は、前記実施例１と同様にして時計用文字板を製造した。
（比較例３）
着色膜を形成する代わりに、気相成膜法により、Ａｕで構成された金属薄膜を基板（時計用部材）の第２の面に形成した以外は、前記比較例１と同様にして時計用文字板を製造した。
【００４６】
各実施例および各比較例の時計用文字板の構成を表１にまとめて示す。なお、表１中、ポリカーボネートをＰＣ、アクリロニトリル−ブタジエン−スチレン共重合体（ＡＢＳ樹脂）をＡＢＳ、アクリル系樹脂をＡｃ、またポリエチレンテレフタレートをＰＥＴ、Ｃ．Ｉ．ピグメントホワイト１１をＰＷ１１、Ｃ．Ｉ．ピグメントレッド２５４をＰＲ２５４、Ｃ．Ｉ．ピグメントブルー１５をＰＢ１５、Ｃ．Ｉ．ピグメントグリーン３６をＰＧ３６、Ｃ．Ｉ．ピグメントイエロー１５０をＰＹ１５０で、それぞれ示した。なお、表１中、「凹凸の配置パターン」の欄には、図２に示すように、多数の凹凸が渦巻状に配置されたパターンを「ａ」で示し、図３に示すように、凹凸が同心円状に配置されたパターンを「ｂ」で示し、図４に示すように、一次元方向に多数の凹凸が配置されたパターンを「ｃ」で示した。また、比較例３については、金属薄膜の条件を「着色膜」の欄に示した。また、前記各実施例および各比較例の時計用文字板の各部位における表１中に示す材料の含有率は、いずれも、９９．９ｗｔ％以上であった。
【００４７】
【表１】
2010210344.tif 000003
【００４８】
２．腕時計用文字板の外観評価
前記各実施例および各比較例で製造した各腕時計用文字板について、基板の第１の面側に黒色の太陽電池（直径：２７ｍｍの円盤状）を重ね合わせた状態で、目視による観察を行い、これらの外観を以下の６段階の基準に従い、評価した。なお、目視による観察は、基板の第２の面側（着色膜または金属薄膜が設けられた面側）から行った。
【００４９】
Ａ：高級感があり、極めて優れた外観を有している。
Ｂ：高級感があり、非常に優れた外観を有している。
Ｃ：優れた外観を有している。
Ｄ：良好な外観を有している。
Ｅ：外観がやや不良。
Ｆ：外観が不良。
【００５０】
３．腕時計用文字板の光透過性評価
前記各実施例および各比較例で製造した各腕時計用文字板について、以下のような方法により、光透過性を評価した。
まず、太陽電池と各腕時計用文字板とを暗室にいれた。その後、太陽電池単体でその受光面に対し、所定距離離間した白色蛍光灯（光源）からの光を入射させた。この際、太陽電池の発電電流をＡ［ｍＡ］とした。次に、前記太陽電池の受光面の上面に、基板の第１の面が太陽電池に対向するように、腕時計用文字板を重ね合わせた状態で、前記と同様に所定距離離間した白色蛍光灯（光源）からの光を入射させた。この状態での、太陽電池の発電電流をＢ［ｍＡ］とした。そして、（Ｂ／Ａ）×１００で表される時計用文字板の光透過率を算出し、以下の４段階の基準に従い、評価した。光透過率が大きいほど、時計用文字板の光透過性は優れたものであるといえる。なお、白色蛍光灯としては、白色蛍光灯（東芝社製、検査用蛍光灯  ＦＬ２０Ｓ−Ｄ６５）を用いた。
Ａ：２１％以上。
Ｂ：１６％以上２１％未満。
Ｃ：１１％以上１６％未満。
Ｄ：１１％未満。
【００５１】
４．電波透過性の評価
前記各実施例および各比較例で製造した各時計用文字板について、以下に示すような方法で電波透過性を評価した。
まず、時計ケースと、電波受信用のアンテナを備えた腕時計用内部モジュール（ムーブメント）とを用意した。
次に、時計ケース内に、腕時計用内部モジュール（ムーブメント）および、腕時計用文字板を組み込み、この状態での電波の受信感度を測定した。このとき、時計用文字板は、基板の第２の面側（着色膜または金属薄膜が設けられた面側）が外表面を向くようにした。
【００５２】
腕時計用文字板を組み込まない状態での受信感度を基準とし、腕時計用文字板を組み込んだ場合における受信感度の低下量（ｄＢ）を以下の４段階の基準に従い、評価した。電波の受信感度の低下が低いものほど、腕時計用文字板の電波透過性は優れたものであるといえる。
Ａ：感度の低下が認められない（検出限界以下）。
Ｂ：感度の低下が０．７ｄＢ未満で認められる。
Ｃ：感度の低下が０．７ｄＢ以上１．０ｄＢ未満。
Ｄ：感度の低下が１．０ｄＢ以上。
これらの結果を表２に示す。
【００５３】
【表２】
2010210344.tif 000004
【００５４】
表２から明らかなように、本発明の時計用文字板は、いずれも優れた美的外観（各部位での明るさの変化に富み、高級感に溢れた光沢を呈する美的外観）を有するものであった。また、本発明の時計用文字板は、電磁波（光、電波）の透過性にも優れていた。このことから、本発明の時計用文字板は、ソーラー時計、電波時計に好適に適用することができるものであることがわかる。
これに対し、比較例では、満足な結果が得られなかった。
また、各実施例および比較例で得られた時計用文字板を用いて、図７に示すような時計を組み立てた。このようにして得られた各時計について、上記と同様の試験、評価を行ったところ、上記と同様の結果が得られた。
【符号の説明】
【００５５】
１…時計用文字板  ２…時計用部材  ２１…基板  ２１１…第１の面  ２１１１…凹凸  ２１２…第２の面  ３…着色膜  ９４…太陽電池  ８１…ムーブメント  ８２…胴（ケース）  ８３…裏蓋  ８４…ベゼル（縁）  ８５…ガラス板（カバーガラス）  ８６…巻真パイプ  ８７…りゅうず  ８７１…軸部  ８７２…溝  ８８…プラスチックパッキン  ８９…プラスチックパッキン  ９１…ゴムパッキン（りゅうずパッキン）  ９２…ゴムパッキン（裏蓋パッキン）  ９３…接合部（シール部）  １００…腕時計（携帯時計）
【図１】
2010210344.tif 000005
【図２】
2010210344.tif 000006
【図３】
2010210344.tif 000007
【図４】
2010210344.tif 000008
【図５】
2010210344.tif 000009
【図６】
2010210344.tif 000010
【図７】
2010210344.tif 000011
【図８】
2010210344.tif 000012
【図９】
2010210344.tif 000013